(57)【要約】【課題】  真贋判定情報が通常の観察状態では観察困難に記録され、真贋判定者が真贋判定情報を確認する際に色彩の違いで真贋判定情報が容易に観察可能に記録されており、偽造防止効果が高いホログラム。【解決手段】  立体像を再生するホログラム１０において、真贋判定情報である微小物体１１が、裸眼で認識容易な大きさの遮蔽物体１２の背後に配置され、所定方向の観察では真贋判定情報１１は遮蔽物体１２で遮蔽されて観察できず、その所定方向と異なる別の方向から観察可能に記録され、かつ、真贋判定情報１１と遮蔽物体１２が互いに異なる色彩で観察可能に記録されているホログラム１０。【選択図】        図１
2005195846.tif 000002
【特許請求の範囲】
【請求項１】
立体像を再生するホログラムにおいて、真贋判定情報である微小物体が、裸眼で認識容易な大きさの遮蔽物体の背後に配置され、所定方向の観察では真贋判定情報は遮蔽物体で遮蔽されて観察できず、その所定方向と異なる別の方向から観察可能に記録され、かつ、前記真贋判定情報と前記遮蔽物体が互いに異なる色彩で観察可能に記録されていることを特徴とする真贋判定情報が記録されたホログラム。
【請求項２】
前記微小物体が裸眼で分解困難な大きさで、拡大観察手段を用いることにより観察可能に記録されていることを特徴とする請求項１記載の真贋判定情報が記録されたホログラム。
【請求項３】
前記の所定方向がホログラムの正面方向であることを特徴とする請求項１又は２記載の真贋判定情報が記録されたホログラム。
【請求項４】
計算機合成ホログラムとして記録されていることを特徴とする請求項１から３の何れか１項記載の真贋判定情報が記録されたホログラム。
【請求項５】
前記微小物体の最大寸法が３００μｍ以下であることを特徴とする請求項１から４の何れか１項記載の真贋判定情報が記録されたホログラム。
【請求項６】
前記遮蔽物体が、ホログラム面に記録された回折格子で構成されたパターンからなることを特徴とする請求項１から５の何れか１項記載の真贋判定情報が記録されたホログラム。
【請求項７】
前記微小物体が文字の形態のものであることを特徴とする請求項１から６の何れか１項記載の真贋判定情報が記録されたホログラム。
【請求項８】
前記微小物体の物体光放射角度が、前記微小物体が前記遮蔽物体の片側で完全に見えるように設定されて記録されていることを特徴とする請求項１から７の何れか１項記載の真贋判定情報が記録されたホログラム。
【請求項９】
前記微小物体と前記遮蔽物体の間の距離が、前記微小物体が前記遮蔽物体の前記の所定方向とは異なる片側の方向で完全に観察可能になるように設定されて記録されていることを特徴とする請求項１から８の何れか１項記載の真贋判定情報が記録されたホログラム。
【請求項１０】
前記微小物体が、完全に見える側の反対側では見えないように設定されて記録されていることを特徴とする請求項８又は９記載の真贋判定情報が記録されたホログラム。
【請求項１１】
前記微小物体の一部又は全部が見える角度範囲が前記微小物体が前記遮蔽物体に隠される角度範囲の２分の１以下に設定されて記録されていることを特徴とする請求項１から１０の何れか１項記載の真贋判定情報が記録されたホログラム。
【請求項１２】
完全に観察可能な片側とは反対側で別の微小物体が観察可能になるように設定されて記録されていることを特徴とする請求項８から１０の何れか１項記載の真贋判定情報が記録されたホログラム。
【請求項１３】
前記微小物体がホログラム面から１ｍｍ以内に再生されるように記録されていることを特徴とする請求項１から１２の何れか１項記載の真贋判定情報が記録されたホログラム。
【請求項１４】
カード又は書類に貼り付けられていることを特徴とする請求項１から１３の何れか１項記載の真贋判定情報が記録されたホログラム。
【請求項１５】
請求項１から１４の何れか１項記載の真贋判定情報が記録されたホログラムの前記微小物体が観察可能に照明光学系及び観察位置が設定されていることを特徴とする真贋判定情報確認システム。
【請求項１６】
前記ホログラムと前記照明光学系とが固定配置され、前記観察位置が相対的に移動可能に配置されていることを特徴とする請求項１５記載の真贋判定情報確認システム。
【請求項１７】
前記照明光学系と前記観察位置とが固定配置され、前記ホログラムが相対的に回転可能に配置されていることを特徴とする請求項１５記載の真贋判定情報確認システム。
【請求項１８】
前記ホログラムと前記観察位置とが固定配置され、前記照明光学系が相対的に移動可能に配置されていることを特徴とする請求項１５記載の真贋判定情報確認システム。
【請求項１９】
請求項１から１４の何れか１項記載の真贋判定情報が記録されたホログラムが貼り付けられていることを特徴とするカード又は書類。
【発明の詳細な説明】
【技術分野】
【０００１】
本発明は、真贋判定情報が記録されたホログラムに関し、特に、通常の観察状態では観察困難な真贋判定情報が記録されたホログラムに関するものである。
【背景技術】
【０００２】
従来、複写機により複写できない程微細な印刷により真贋判定情報を記録する偽造防止手段は知られていた。しかし、複写機の性能の向上により微細なパターンも複写可能となったため、偽造防止手段として機能しなくなっている。
【０００３】
その後、回折格子により微細なパターンを形成する技術（特許文献１）が考案された。この技術を用いると、裸眼では形状が認識できない程の大きさの真贋判定情報が記録可能なため、偽造防止手段として現在も使われている。
【０００４】
何れの場合も、所定の記録面に真贋判定情報が直接記録されているため、ルーペや顕微鏡を用いて観察すれば、どのような真贋判定情報が記録されているのかが直ぐに判明してしまう。また、微細な回折格子を記録する装置は安価に入手可能になりつつあるため、記録されている真贋判定情報が判明すれば、容易にその偽造が可能となる。
【０００５】
そこて、記録面に真贋判定情報の形状が直接記録されないようにするため、ホログラム撮影により微細な真贋判定情報を記録することも試みられている（特許文献２）。ホログラム撮影には、実物大の物体が必要であるが、肉眼で認識困難な大きさの物体の製作は困難であるため、この特許文献２では、ネガ平面画像を被写体とし、レンズ縮小と同時にホログラム撮影する方法が例示されている。
【０００６】
このように、撮影により微小な立体像を再生するホログラムを作成する場合、扱える物体の大きさ、配置、位置精度等に制約が多く、実用上好ましくない。
【０００７】
一方、計算機ホログラム（ＣＧＨ）を用いた場合、物体の形状や配置をデジタルデータとして計算機内に準備すればよいので、このような物体に関する制限は少なく、微小な立体像再生ホログラムを作成する上で望ましい。
【０００８】
ところで、本発明者により、真贋判定情報である微小物体が、裸眼で認識容易な大きさの遮蔽物体の背後に配置され、所定方向の観察では真贋判定情報は遮蔽物体で遮蔽されて観察できず、その所定方向と異なる別の方向から観察可能に記録されてなる真贋判定情報が記録されたホログラムが提案されている（特許文献３）。この特許文献３に開示された発明によれば、仮に適切な照明光を照射したとしても、記録されている真贋情報が肉眼で認識困難な程小さいので、真贋情報の存在が気付かれ難く、さらにルーペ等で拡大して観察しても、通常の観察方向である正面からは真贋情報の存在を気付かれ難いので、真贋情報の秘匿性が高く、偽造の危険性の少ないホログラムを提供できる。
【特許文献１】登録実用新案第２，５８２，８４７号公報
【特許文献２】特開平１１−２１７９３号公報
【特許文献３】特開２００３−２２８２７０号公報
【特許文献４】特願２０００−２１４７５１号公報
【特許文献５】特開平２−１６５９８７号公報
【特許文献６】米国特許第４，５６８，１４１号明細書
【特許文献７】特開平６−２６６２７４号公報
【特許文献８】特開平６−１１０３７０号公報
【非特許文献１】「３次元画像コンファレンス‘９９−３Ｄ  Ｉｍａｇｅ  Ｃｏｎｆｅｒｅｎｃｅ‘９９−」講演論文集ＣＤ−ＲＯＭ（１９９９年６月３０日〜７月１日  工学院大学新宿校舎）、論文「ＥＢ描画によるイメージ型バイナリＣＧＨ（３）−隠面消去・陰影付けによる立体感の向上−」
【発明の開示】
【発明が解決しようとする課題】
【０００９】
ところが、特許文献３に開示されたホログラムでは、真贋判定情報である微小物体が、裸眼で認識容易な大きさの遮蔽物体の背後に配置され、観察時には遮蔽物体の背後から真贋判定情報が現れて観察されるため、真贋判定者が真贋判定情報を確認する際に、必ずしも真贋判定情報を容易に観察することはできなかった。
【００１０】
本発明は従来技術のこのような問題点に鑑みてなされたものであり、その目的は、真贋判定情報が通常の観察状態では観察困難に記録され、真贋判定者が真贋判定情報を確認する際に色彩の違いで真贋判定情報が容易に観察可能に記録されており、偽造防止効果が高いホログラムを提供することである。
【課題を解決するための手段】
【００１１】
上記目的を達成する本発明の真贋判定情報が記録されたホログラムは、立体像を再生するホログラムにおいて、真贋判定情報である微小物体が、裸眼で認識容易な大きさの遮蔽物体の背後に配置され、所定方向の観察では真贋判定情報は遮蔽物体で遮蔽されて観察できず、その所定方向と異なる別の方向から観察可能に記録され、かつ、前記真贋判定情報と前記遮蔽物体が互いに異なる色彩で観察可能に記録されていることを特徴とするものである。
【００１２】
この場合に、微小物体は、裸眼で分解困難な大きさで、拡大観察手段を用いることにより観察可能に記録されていることが望ましい。
【００１３】
また、その所定方向としてはホログラムの正面方向とすることが望ましい。
【００１４】
また、計算機合成ホログラムとして記録されていることが望ましい。
【００１５】
また、微小物体の最大寸法が３００μｍ以下であることが望ましい。
【００１６】
また、遮蔽物体として、ホログラム面に記録された回折格子で構成されたパターンであってもよい。
【００１７】
また、微小物体は文字の形態とすることができる。
【００１８】
また、微小物体の物体光放射角度が、微小物体が遮蔽物体の片側で完全に見えるように設定されて記録されたものとすることができる。
【００１９】
また、微小物体と遮蔽物体の間の距離が、微小物体が遮蔽物体のその所定方向とは異なる片側の方向で完全に観察可能になるように設定されて記録されているものとすることができる。
【００２０】
これらの場合、微小物体が、完全に見える側の反対側では見えないように設定されて記録されているようにすることができる。
【００２１】
また、微小物体の一部又は全部が見える角度範囲が微小物体が遮蔽物体に隠される角度範囲の２分の１以下に設定されて記録されていることが望ましい。
【００２２】
片側の方向で完全に観察可能になるように設定されて記録されている場合に、完全に観察可能な片側とは反対側で別の微小物体が観察可能になるように設定されて記録されているようにすることもできる。
【００２３】
また、微小物体がホログラム面から１ｍｍ以内に再生されるように記録されていることが望ましい。
【００２４】
以上のホログラムは、カード又は書類に貼り付けられていてもよい。
【００２５】
なお、本発明は、以上の真贋判定情報が記録されたホログラムの微小物体が観察可能に照明光学系及び観察位置が設定されている真贋判定情報確認システムを含むものである。
【００２６】
この場合に、ホログラムと照明光学系とが固定配置され、観察位置が相対的に移動可能に配置されている場合、照明光学系と観察位置とが固定配置され、ホログラムが相対的に回転可能に配置されている場合、ホログラムと観察位置とが固定配置され、照明光学系が相対的に移動可能に配置されている場合等がある。
【００２７】
また、本発明は、以上の真贋判定情報が記録されたホログラムが貼り付けられているカード又は書類を含むものである。
【発明の効果】
【００２８】
本発明においては、真贋判定情報である微小物体が、裸眼で認識容易な大きさの遮蔽物体の背後に配置され、所定方向の観察では真贋判定情報は遮蔽物体で遮蔽されて観察できず、その所定方向と異なる別の方向から観察可能に記録され、かつ、前記真贋判定情報と前記遮蔽物体が互いに異なる色彩で観察可能に記録されているので、真贋判定情報の存在が気付かれ難く、さらに、ルーペ等の拡大観察手段で拡大して観察しても、通常の観察方向である所定方向からは真贋判定情報の存在が気付かれ難く、真贋判定情報の秘匿性が極めて高く、偽造防止効果が高い。なおかつ、真贋判定情報と遮蔽物体が互いに異なる色彩で観察可能なので、真贋判定者が真贋判定情報を確認しやすいものである。
【発明を実施するための最良の形態】
【００２９】
本発明の真贋判定情報が記録されたホログラムは、真贋判定情報である微小な物体が通常の観察方向では観察できず、その方向と異なる所定のある方向から観察した場合にのみ観察でき、例えば遮蔽物の後ろから真贋判定情報である微小物体が徐々に見えるようになるホログラムである。
【００３０】
以下に、本発明の真贋判定情報が記録されたホログラムを特許文献３に基づいて説明するが、本発明のホログラムは、後記するように、通常のホログラム撮影方法によっても作成することができるが、計算機合成によって作成することが望ましいので、まず、計算機合成ホログラム（ＣＧＨ）について説明する。
【００３１】
ＣＧＨの作成方法はよく知られており（例えば、非特許文献１参照）、ＣＧＨの例として、干渉縞の強度分布を記録したバイナリホログラムであって、再生像が水平方向の視差のみを持ち、上方からの白色光で観察される場合について、その概要を説明すると、図６に示すように、ステップＳＴ１で、ＣＧＨ化する物体の形状が定義される。次いで、ステップＳＴ２で、物体、ＣＧＨ面、参照光の空間配置が定義される。次いで、ステップＳＴ３で、物体は、水平面でのスライスにより垂直方向に分割され、さらにスライス面上で点光源の集合に置き換えられる。そして、ステップＳＴ４で、これらの空間配置に基き、ＣＧＨ面上に定義された各サンプル点において、物体を構成する各点光源から到達する光と参照光との干渉縞の強度が演算により求められ、干渉縞データが得られる。次に、ステップＳＴ５で、得られた干渉縞データは量子化された後、ステップＳＴ６で、ＥＢ描画用矩形データに変換され、ステップＳＴ７で、ＥＢ描画装置により媒体に記録され、ＣＧＨが得られる。
【００３２】
この干渉縞の計算の際に、隠面消去処理が行われる。この隠面消去処理とは、ある視点から物体を観察したときに、手前の物体に隠される部分を見えないようにする処理であり、この処理により物体の重なり合いの情報が網膜像に付加され、立体感を得ることができる処理であり、ＣＧＨ記録の場合に、次の手順により隠面消去処理が施される。
【００３３】
図７に示すように、物体１を構成する各点光源毎に、その点光源が物体１、２で隠される領域（図７の斜線部）を求める。図６の手順で作成されるＣＧＨの場合は、物体１、２は水平面でスライスされ、かつ、水平方向にのみ視差を有しているため、物体１の点光源の物体１、２で隠される領域は各スライス面上での点と線分との位置関係により求められる。ＣＧＨ面上に分布する干渉縞のサンプル点が、上記で求めた点光源が隠される領域に含まれる場合（図７の黒丸部）には、そのサンプル点においてその点光源を干渉縞強度の計算対象から除外するのが、隠面消去処理である。このような処理を施したＣＧＨの再生された物体１の像からは、図７の斜線部に再生光が回折されず、その領域に観察者の視点が入った場合、その点光源に対応する物体１の領域は物体２の像で隠されて見えなくなる。
【００３４】
そこで、図１に示すように、真贋判定情報である裸眼で分解困難な大きさ、具体的には最大寸法が３００μｍ以下の文字形態等の微小物体１１を観察者Ｅが正面（通常の観察方向）から観察できないように、微小物体１１を正面から見て覆い隠すことのできる位置に、微小物体１１より大きく裸眼で認識容易な大きさの遮蔽物体１２を微小物体１１の手前（観察側）に配置してＣＧＨ１０に記録する。そのためには、微小物体１１を表現する点光源の集合に上記隠面消去処理が行われ、少なくとも、微小物体１１からの光は、図１の直線２１Ｌと直線２１Ｒの間には微小物体１１からの再生光が回折されないように記録される。ここで、直線２１Ｌは微小物体１１の左端と遮蔽物体１２の左端を通る直線、直線２１Ｒは微小物体１１の右端と遮蔽物体１２の右端を通る直線であり、その直線２１Ｌと直線２１Ｒの間に正面方向が含まれる。なお、図中、直線２２Ｌは、微小物体１１の左端から左側上方へ引いた直線で、その直線より左側の領域には微小物体１１の左端からの再生光が回折されない境界を示し、また、直線２２Ｒは、微小物体１１の右端から右側上方へ引いた直線で、その直線より右側の領域には微小物体１１の右端からの再生光が回折されない境界を示す。なお、微小物体１１の最小寸法が２５μｍ未満の場合、ホログラム再生像として図形の解像が難しく、また、ルーペ等の簡易な拡大手段を用いても、微小図形を確認し難いので、微小物体１１の最小寸法は２５μｍ以上であことが好ましい。
【００３５】
以上の説明は、特許文献３と同じであり、本発明に基づいて、遮蔽物体１２と微小物体１１を異なる色彩で記録する。例えば、遮蔽物体１２は赤色の波長の回折光で赤色に再生されるように、また、微小物体１１は青色の波長の回折光で青色に再生されるように記録する。なお、本発明において、異なる色彩とは、異なる色相及び異なる彩度を意味するが、望ましくは色相が異なることが好ましい。
【００３６】
このように同一のＣＧＨ１０に複数の波長で物体の像が再生されるように記録するには、本発明者が提案した特許文献４の方式に基づけばよい。その方式を簡単に説明すると、図８に示すように、ＣＧＨ１０の記録面２０を垂直方向（Ｙ方向）に微小な幅ｈの２次元単位領域Ｃ1 ，Ｃ2 ，Ｃ3 ，・・・・，Ｃm ，・・・に分割し、各２次元単位領域を垂直に３つの単位領域に面積分割し、単位領域Ｃ1r，Ｃ2r，Ｃ3r，・・・・，Ｃmr，・・・の総体には記録する物体のＲ（赤色）の原色分解像の干渉縞データが、単位領域Ｃ1g，Ｃ2g，Ｃ3g，・・・・，Ｃmg，・・・の総体には記録する物体のＧ（緑色）の原色分解像の干渉縞データが、単位領域Ｃ1b，Ｃ2b，Ｃ3b，・・・・，Ｃmb，・・・の総体には記録する物体のＢ（青色）の原色分解像の干渉縞データが、それぞれ記録されるものであり、図１の例では、赤色の波長の回折光で赤色に再生される遮蔽物体１２の干渉縞データは飛び飛びの単位領域Ｃ1r，Ｃ2r，Ｃ3r，・・・・，Ｃmr，・・・に記録され、青色の波長の回折光で青色に再生される微小物体１１の干渉縞データは飛び飛びの単位領域Ｃ1b，Ｃ2b，Ｃ3b，・・・・，Ｃmb，・・・に記録される。
【００３７】
このように、異なる色彩で遮蔽物体１２と微小物体１１を１つのＣＧＨ１０の記録面２０に同時に再生可能に記録するには、記録面２０を微小なＲ，Ｇ，Ｂの領域に面積分割して、Ｒの領域にはＲの原色分解像の干渉縞データを飛び飛びに、Ｇの領域にはＧの原色分解像の干渉縞データを飛び飛びに、Ｂの領域にはＢの原色分解像の干渉縞データを飛び飛びに記録するようにすればよい。なお、再生像が水平方向の視差のみを持つ場合は、その面積分割した各単位領域は、限定的ではないが、図８に示すように、微細幅の水平方向に延びる領域とすることが望ましい。
【００３８】
なお、遮蔽物体１２としては、通常の２次元あるいは３次元の物体でも、あるいは、ＣＧＨ１０の面に設定された特許文献１、特許文献５、特許文献６等で知られた回折格子で構成されたパターンからなる物体であってもよい。この場合は、遮蔽物体１２である回折格子で構成されたパターンは、ホログラムとして記録するのではなく、ＣＧＨ１０の面の対応する領域に直接記録することになる。
【００３９】
さらに、特許文献３に基づいて説明を続けると、図１の場合とは異なり、図２に示すように、正面とは別のある方向、例えば、斜め左方向から微小物体１１が完全に見えるように、微小物体１１の物体光の放射角γ1 は、微小物体１１の右端と遮蔽物体１２の左端とを結んだ直線２１ＲＬの正面方向からの角度β1 よりも大きくなるように（遮蔽物体１２と微小物体１１との間に平板を置いたときに、その平板が最大傾く角度β1 よりも微小物体１１の物体光放射角γ1 が大きくなるように）設定する。図２では、直線２２ＲＬが物体光の左側限界を示している。上記の別のある方向を斜め右方向とする場合も同様であり、別の表現では、微小物体１１の物体光放射角をγ、微小物体１１の右端あるいは左端から遮蔽物体１２の左端あるいは右端までの幅をａとしたとき、遮蔽物体１２と微小物体１１との正面方向の間隔がａ／ｔａｎγ以上になるように配置して記録することにより、斜め左方向あるいは斜め右方向から微小物体１１が完全に見えることになる。
【００４０】
この例の場合も、遮蔽物体１２と微小物体１１を異なる色彩で記録する。例えば、遮蔽物体１２は赤色の波長の回折光で赤色に再生されるように、また、微小物体１１は青色の波長の回折光で青色に再生されるように記録する。
【００４１】
図３は、微小物体１１の右端から出る物体光の右側の境界を示す直線２２Ｒが、微小物体１１の右端と遮蔽物体１２の右端を通る直線２１Ｒよりも外側に広がっておらず、微小物体１１の右端から出る物体光の左側の境界を示す直線２２ＲＬは、微小物体１１の右端と遮蔽物体１２の左端を通る直線２１ＲＬよりも外側に広がっている場合を示す図であり、この場合は、微小物体１１が完全に見える側すなわち左側に対して、その反対側すなわち右側では微小物体１１は遮蔽物体１２で完全に隠されて見えない。これを角度関係で言えば、微小物体１１の物体光の左側の放射角γ1 は、微小物体１１の右端と遮蔽物体１２の左端とを結んだ直線２１ＲＬの正面方向からの角度β1 よりも大きくなるように設定され、微小物体１１の物体光の右側の放射角γ2 は、微小物体１１の右端と遮蔽物体１２の右端とを結んだ直線２１Ｒの正面方向からの角度β2 よりも小さくなるように設定されている場合である。
【００４２】
この例の場合も、遮蔽物体１２と微小物体１１を異なる色彩で記録する。例えば、遮蔽物体１２は赤色の波長の回折光で赤色に再生されるように、また、微小物体１１は青色の波長の回折光で青色に再生されるように記録する。
【００４３】
図１に戻って、微小物体１１の物体光の右側の放射角γ2 が、微小物体１１の右端と遮蔽物体１２の右端とを結んだ直線２１Ｒの正面方向からの角度β2 よりも大きく、微小物体１１の物体光の左側の放射角γ3 が、微小物体１１の左端と遮蔽物体１２の左端とを結んだ直線２１Ｌの正面方向からの角度β3 よりも大きく設定されている図１の場合、微小物体１１の一部又は全部が見える角度範囲は、図から、γ2 −β2 ＋γ3 −β3 となる。これに対して、微小物体１１が遮蔽物体１２で隠される角度範囲は、β2 ＋β3 となる。γ2 −β2 ＋γ3 −β3 がβ2 ＋β3 の２分の１以下であると、真贋判定情報である微小物体１１の遮蔽効果は高く、真贋判定情報として微小物体１１が記録されていることが発見され難く、その分偽造防止効果が高いものとなる。
【００４４】
ここで、物体光の右側の放射角γ2 が角度β2 より小さく、右側では微小物体１１は遮蔽物体１２で完全に隠されて見えない場合には、γ2 ＝β2 と定義し、物体光の左側の放射角γ3 が角度β3 より小さく、左側では微小物体１１は遮蔽物体１２で完全に隠されて見えない場合には、γ3 ＝β3 と定義すると、上記の関係は、｜γ2 −β2 ｜＋｜γ3 −β3 ｜≦１／２×（｜β2 ｜＋｜β3 ｜）と書ける。
【００４５】
図４は、２つの微小物体１１、１１’が記録されている場合で、第１微小物体１１は、図の右側の角度範囲γ3 −β3 で完全に見え、左側では完全に隠されて見えず、第２微小物体１１’は、図の左側の角度範囲γ1 −β1 で完全に見え、右側では完全に隠されて見えないように記録されている場合であり、このような場合には、遮蔽物体１２の左右で見える微小物体が異なるので、より偽造防止効果が高いものとなる。
【００４６】
この例の場合は、遮蔽物体１２と微小物体１１と微小物体１１’を相互に異なる色彩で記録する。例えば、遮蔽物体１２は赤色の波長の回折光で赤色に再生されるように、また、微小物体１１は赤色と緑色の波長の回折光の加法混色で黄色に再生されるように、微小物体１１’を青色の波長の回折光で青色に再生されるように記録する。この例の場合は、図８の記録面２０では、赤色の波長の回折光で赤色に再生される遮蔽物体１２と微小物体１１の干渉縞データは飛び飛びの単位領域Ｃ1r，Ｃ2r，Ｃ3r，・・・・，Ｃmr，・・・に記録され、青色の波長の回折光で青色に再生される微小物体１１’の干渉縞データは飛び飛びの単位領域Ｃ1b，Ｃ2b，Ｃ3b，・・・・，Ｃmb，・・・に記録され、微小物体１１の干渉縞データは飛び飛びの単位領域Ｃ1g，Ｃ2g，Ｃ3g，・・・・，Ｃmg，・・・に記録される。
【００４７】
以上の本発明のホログラムによれば、仮に適切な照明光を照射したとしても、記録されている真贋判定情報（微小物体１１、１１’）が肉眼で認識困難な程小さいので、その真贋判定情報の存在が気付かれ難く、さらに、例えばルーペ等で拡大して観察しても、通常の観察方向である例えば正面からは真贋判定情報の存在が気付かれ難くいので、真贋判定情報の秘匿性が一層高まり、偽造の危険性が減少する。
【００４８】
本発明のホログラムにおいては、真贋を判定する際には、適切な白色照明をホログラムに照射し、ルーペ等を用いて拡大し、正面以外の所定の方向から観察すると、真贋判定情報（微小物体１１、１１’）が遮蔽物体１２の色彩とは異なる色彩で現れ、通常の方向である正面に観察位置を移動した場合には、その真贋判定情報１１、１１’が遮蔽物１２に隠れて見えなくなることで確認することができる。
【００４９】
さらに、図３のように、微小物体１１が遮蔽物体１２から現れる側（図３の左側）の反対側（図３の右側）からは微小物体１１が現れないように設定すると、真贋判定情報の秘匿性が一層高まる。
【００５０】
また、上記したように、微小物体１１の一部又は全部が見える角度範囲が微小物体１１が遮蔽物体１２に隠される角度範囲の２分の１以下に設定すると、一層効果的である。
【００５１】
さらに、図４のように、微小物体１１が遮蔽物体１２から現れる側の反対側には微小物体１１と色彩の異なる第２微小物体１１’が現れるようにすると、一層偽造防止効果が高まる。
【００５２】
また、微小物体１１をＣＧＨ１０の面から離して配置すればする程、再生される微小物体１１の像はボケてしまい観察し難いため、微小物体１１、１１’はＣＧＨ１０の面から１ｍｍ以内の奥行きに配置するのが望ましい。
【００５３】
ところで、以上の説明において、微小物体１１を再生する回折光の境界、あるいは、物体光の放射角は、ＣＧＨを作成する際の隠面消去処理により決めるものとして説明したが、ホログラムを二光束干渉により作成する場合には、記録する微小物体からの物体光のホログラム面への入射範囲をマスク等により制限するようにすることにより同様のものが記録できるので、本発明のホログラムはＣＧＨに限定されずに、通常の二光束干渉法により作成することができる。
【００５４】
このような本発明の真贋判定情報が記録されたホログラムは、カード、書類等の偽造を防止したい対象物に貼り付けて用いることにより、その効果を発揮することができる。
【００５５】
また、対象のホログラムに真贋判定情報が記録されているか否かの確認は、予めどの方向から再生照明光を当てるとどの方向からのみ真贋判定情報が観察可能であるかが分かっているので、その方向に設定した照明光学系と観察光学系とを備えた真贋判定情報確認システムを用いることにより、容易にホログラム及びそれを貼り付けたカード、書類等が真実のものであるか贋のものであるかが判定できるようになる。
【００５６】
ここで、真贋判定情報確認システムの具体例のいくつかを図５を用いて説明する。図５（ａ）は、本発明により微小物体１１、１１’と遮蔽物体１２が記録されたホログラム１００（図１〜図４のＣＧＨ１０が対応する。）と、そのホログラム１００に再生照明光を照射する照明装置１０１とを固定配置して、記録された真贋判定情報を拡大観察するカメラ１０２を相対的に移動可能に配置して、真贋判定情報が観察できる方向を求めるようにするものである。
【００５７】
図５（ｂ）は、ホログラム１００に再生照明光を照射する照明装置１０１と、そのホログラム１００に記録された真贋判定情報を拡大観察するカメラ１０２とを固定配置して、ホログラム１００を相対的に回転可能に配置して、真贋判定情報が観察できる方向を求めるようにするものである。ホログラム１００がＣＧＨのようなレリーフホログラムの場合、再生照明光の角度選択性は余り高くないので、ホログラム１００に対して照明装置１０１が移動しても、記録された微小物体１１、１１’と遮蔽物体１２は再生位置を移動させながら再生される。したがって、この配置でもホログラム１００が所定の位置になったとき、真贋判定情報が観察可能になるので、その位置で実際に真贋判定情報が観察可能になるか否かを判別できる。
【００５８】
図５（ｃ）は、ホログラム１００と、そのホログラム１００に記録された真贋判定情報を拡大観察するカメラ１０２とを固定配置して、ホログラム１００に再生照明光を照射する照明装置１０１を相対的に移動可能に配置して、真贋判定情報が観察できる方向を求めるようにするものである。この場合も、ホログラム１００に対して照明装置１０１が移動しても、記録された微小物体１１、１１’と遮蔽物体１２は再生位置が移動しながら再生されるので、この配置でも照明装置１０１が所定の位置になったとき、真贋判定情報が観察可能になるので、その位置で実際に真贋判定情報が観察可能になるか否かを判別する。
【００５９】
なお、本発明のホログラムをレリーフホログラムとして記録する場合は、波長選択性が高くない。そのため、真贋判定情報確認システムの照明装置１０１の光源として一般的な白色光源、例えば蛍光灯を用いると、微小物体１１、１１’と遮蔽物体１２の色が区別し難くなる。そこで、真贋判定情報確認システムの照明装置１０１の光源としては、点光源に近い白色光源を用いることが必要である。
【００６０】
ところで、本発明のホログラムのように、微小物体が遮蔽物体の背後に配置され、所定方向の観察では微小物体は遮蔽物体で遮蔽されて観察できず、その所定方向と異なる別の方向から観察可能に記録され、かつ、微小物体と遮蔽物体が互いに異なる色彩で観察可能に記録されているホログラムは、ホログラフィックステレオグラムとして記録するようにしてもよい。ホログラフィックステレオグラムとしては、特願２００３−１０１７３６号で提案したような計算機合成ホログラフィックステレオグラムや、特許文献７で提案されている画素毎にレーザ撮影する１ステップ・ホログラフィックステレオグラムや、特許文献８で提案されている画素毎にフーリエ変換パターンを記録するホログラフィックステレオグラムがあるが、特に分解能が高くかつ視差数がより多く取れる点から、特願２００３−１０１７３６号で提案した計算機合成ホログラフィックステレオグラムを用いることが望ましい。
【００６１】
以上、本発明の真贋判定情報が記録されたホログラムを原理と実施例に基づいて説明してきたが、これらの実施例等に限定されず種々の変形が可能である。
【図面の簡単な説明】
【００６２】
【図１】本発明によるホログラムに記録されている微小物体、遮蔽物体、物体光範囲を説明するための図である。
【図２】微小物体が遮蔽物体の片側で完全に見えるように記録されている場合の配置を説明するための図である。
【図３】微小物体が一方の片側で完全に見え、反対側では完全に隠されて見えない場合の配置を説明するための図である。
【図４】２つの微小物体が記録されている場合に左右の片側で別々の微小物体が完全に見える場合の配置を説明するための図である。
【図５】本発明による真贋判定情報確認システムの具体例のいくつかを説明するための図である。
【図６】ＣＧＨの作成過程の概要を説明するためのフロー図である。
【図７】ＣＧＨ記録の場合の隠面消去処理を説明するための図である。
【図８】同一のＣＧＨに複数の波長で物体の像が再生されるように記録するための１つの方式を説明するための図である。
【符号の説明】
【００６３】
Ｅ…観察者
１０…ＣＧＨ
１１、１１’…微小物体
１２…遮蔽物体
２０…ＣＧＨの記録面
２１Ｌ…微小物体の左端と遮蔽物体の左端を通る直線
２１Ｒ…微小物体の右端と遮蔽物体の右端を通る直線
２１ＲＬ、２１ＲＬ’…微小物体の右端と遮蔽物体の左端を通る直線
２１ＬＲ…微小物体の左端と遮蔽物体の右端を通る直線
２２Ｌ…微小物体の左端からの再生光が回折されない境界を示す直線
２２Ｒ…微小物体の右端からの再生光が回折されない境界を示す直線
２２ＲＬ、２２ＲＬ’…微小物体の右端からの物体光の左側限界を示す直線
１００…本発明により微小物体と遮蔽物体が記録されたホログラム
１０１…再生照明光を照射する照明装置
１０２…真贋判定情報を拡大観察するカメラ
【図１】
2005195846.tif 000003
【図２】
2005195846.tif 000004
【図３】
2005195846.tif 000005
【図４】
2005195846.tif 000006
【図５】
2005195846.tif 000007
【図６】
2005195846.tif 000008
【図７】
2005195846.tif 000009
【図８】
2005195846.tif 000010